(57)【要約】【課題】拾得者が、投函時において拾得者自身に関する情報を落とし物に対し付与できるようにする。【解決手段】落とし物回収装置１は、落とし物を投入するための投入口２ａを有し、落とし物を受け入れて収納する回収ボックス２と、この回収ボックス２に収納される落とし物に貼付するための落とし物用無線タグラベルＴを発行するタグラベル作成機３とから構成されている。落とし物用無線タグラベルＴには、落とし物の拾得者を特定可能な拾得者関連情報が記憶された落とし物用無線タグ回路素子Ｔｏｔが設けられている。タグラベル作成機３は筐体４を有し、この筐体４の前面には、落とし物を拾った拾得者の情報及び落とし物自体の情報を入力操作するためのタッチパネル６が設けられている。【選択図】図１
2010079592.tif 000002
【特許請求の範囲】
【請求項１】
落とし物の拾得者が投入した前記落とし物を回収するための落とし物回収装置であって、
前記拾得者を特定可能な拾得者関連情報を入力する入力手段と、
前記入力手段で入力された前記拾得者関連情報を記憶したＩＣ回路部と情報の送受信を行うタグアンテナとを備えた無線タグ回路素子が設けられたタグ媒体を用いて、落とし物用無線タグの発行処理を行う発行処理手段と、
前記発行処理手段が発行した前記落とし物用無線タグが貼付された前記落とし物を受け入れて収納する収納箱と、
を有することを特徴とする落とし物回収装置。
【請求項２】
拾得者が操作するための第１操作手段を有し、
前記入力手段は、
前記第１操作手段での前記拾得者の操作に応じた前記拾得者関連情報を入力する
ことを特徴とする請求項１記載の落とし物回収装置。
【請求項３】
前記拾得者の所持する拾得者用無線タグと無線通信により情報送受信を行うための第１装置アンテナ手段と、
前記第１装置アンテナ手段を介した無線通信により、前記拾得者用無線タグから、前記拾得者に係わる情報を取得する第１情報取得手段とを有し、
前記入力手段は、
前記第１情報取得手段での情報取得結果に応じた前記拾得者関連情報を入力する
ことを特徴とする請求項１又は請求項２記載の落とし物回収装置。
【請求項４】
前記発行処理手段は、
前記タグ媒体を搬送する搬送手段と、
前記タグ媒体に備えられた前記無線タグ回路素子に対し、情報送受信可能な第２装置アンテナ手段と、
前記入力手段で入力した前記拾得者関連情報を、前記第２装置アンテナ手段を介し、前記無線タグ回路素子の前記ＩＣ回路部に書き込む情報書き込み手段と
を備えることを特徴とする請求項１乃至請求項３のいずれか１項記載の落とし物回収装置。
【請求項５】
前記発行処理手段は、
前記タグ媒体又はこれに貼り合わされる被印字媒体に対し、前記拾得者関連情報に対応する印字を行う印字手段と、
前記印字手段の印字が終了後に前記タグ媒体を所定の長さに切断する切断手段とを備え、
前記落とし物用無線タグとして、前記落とし物に貼りつけ可能な無線タグラベルを生成する
ことを特徴とする請求項４記載の落とし物回収装置。
【請求項６】
前記落とし物の落とし主に対し前記拾得者関連情報の報知・不報知を選択入力可能な第２操作手段を有し、
前記情報書き込み手段は、
前記第１操作手段又は前記第２操作手段の選択入力結果に応じ、対応する前記拾得者関連情報の報知・不報知情報を、前記第２装置アンテナ手段を介し、前記無線タグ回路素子の前記ＩＣ回路部に書き込む
ことを特徴とする請求項４又は請求項５記載の落とし物回収装置。
【請求項７】
前記情報書き込み手段は、
前記落とし物の種類や名称、落とし物を拾得した場所、及び拾得日時のうち少なくとも１つを含む落とし物関連情報を、前記第２装置アンテナ手段を介し前記無線タグ回路素子の前記ＩＣ回路部に書き込む
ことを特徴とする請求項４乃至請求項６のいずれか１項記載の落とし物回収装置。
【請求項８】
前記収納箱に収納された前記落とし物に添付された前記落とし物用無線タグの前記無線タグ回路素子に対し、情報送受信可能な第３装置アンテナ手段と、
前記第３装置アンテナ手段を介した無線通信により、前記情報書き込み手段で前記無線タグ回路素子に書き込まれた前記拾得者関連情報を取得する第２情報取得手段と
を有することを特徴とする請求項４乃至請求項７のいずれか１項記載の落とし物回収装置。
【請求項９】
前記第３装置アンテナ手段を介し前記第２情報取得手段で前記拾得者関連情報が取得されたら、対応する報知信号を出力する第１信号出力手段を有する
ことを特徴とする請求項８記載の落とし物回収装置。
【請求項１０】
前記第３装置アンテナ手段を介し前記第２情報取得手段で前記拾得者関連情報が取得されたら、その取得した前記拾得者関連情報をデータベースに登録するための信号を出力する第２信号出力手段を有する
ことを特徴とする請求項８又は請求項９記載の落とし物回収装置。
【発明の詳細な説明】
【技術分野】
【０００１】
本発明は、落とし物の拾得者が投入した落とし物を回収するための、落とし物回収装置に関するものである。
【背景技術】
【０００２】
小型の無線タグとリーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において既に実用化が進められつつある。
【０００３】
このようなＲＦＩＤシステムを、落とし物の拾得、回収に適用したものとして、例えば特許文献１記載のものがある。この従来技術においては、予め、物品に対して識別コードを備えたＩＣカードを取り付けておく。この物品を拾得した拾得者がポストに物品を投函すると、その物品が回収・返送業者の私書箱によってポストから回収される。その後、回収・返送業者がＩＣカードの識別コードを検索することで、落とし主（持ち主）の氏名・住所を取得し、落とし主に対しその物品を返送するようになっている。
【特許文献１】特開２００２−３６６６４４号公報
【発明の開示】
【発明が解決しようとする課題】
【０００４】
上記従来技術においては、落とし物が拾得者によって投函され、回収されることで、確実に持ち主に返却されるようになっている。しかしながら、拾得者は、自分が誰であるかという情報を、拾得した落とし物に対して付与することができなかった。このため、回収後に落とし主が拾得者に対してお礼をしたいと思っても不可能であった。また、拾得者の立場からは、せっかく拾得して投函したとしても、上記のようにその行為に対する報償が何もなく、また、落とし主が見つからなかった場合の所有権についても取得できなかった。
【０００５】
本発明の目的は、拾得者が、投函時において拾得者自身に関する情報を落とし物に対し付与することができる、落とし物回収装置を提供することにある。
【課題を解決するための手段】
【０００６】
上記目的を達成するために、第１の発明は、落とし物の拾得者が投入した前記落とし物を回収するための落とし物回収装置であって、前記拾得者を特定可能な拾得者関連情報を入力する入力手段と、前記入力手段で入力された前記拾得者関連情報を記憶したＩＣ回路部と情報の送受信を行うタグアンテナとを備えた無線タグ回路素子が設けられたタグ媒体を用いて、落とし物用無線タグの発行処理を行う発行処理手段と、前記発行処理手段が発行した前記落とし物用無線タグが貼付された前記落とし物を受け入れて収納する収納箱と、を有することを特徴とする。
【０００７】
本願第１発明においては、落とし物を拾得した拾得者がその落とし物を収納箱に投入することにより、落とし物が収納箱内に収納される。収納された落とし物は、その後回収者によって回収され、落とし主への返還手続きがとられることとなる。
【０００８】
このとき、本願第１発明の落とし物回収装置においては、落とし物用無線タグを発行処理する発行処理手段が設けられている。拾得者を特定可能な拾得者関連情報が入力手段で入力されると、発行処理手段は、その拾得者関連情報をＩＣ回路部に記憶させた無線タグ回路素子を設けたタグ媒体を用いて、落とし物用無線タグを発行する。これにより、拾得者は、その発行された落とし物用無線タグを落とし物に貼りつけた上で、収納箱に投入することができる。落とし物用無線タグには、上記のようにして拾得者関連情報が記憶されているので、回収者が、拾得者が誰であるかという情報を容易に取得することができる。
【０００９】
第２発明は、上記第１発明において、拾得者が操作するための第１操作手段を有し、前記入力手段は、前記第１操作手段での前記拾得者の操作に応じた前記拾得者関連情報を入力することを特徴とする。
【００１０】
第１操作手段の操作に基づき入力手段が拾得者関連情報を入力することにより、拾得者の意志を反映した確実な拾得者関連情報をＩＣ回路部に書き込み、落とし物用無線タグを発行することができる。このとき、拾得者は警察署まで出向かずに容易に拾得者関連情報を記録できるので、拾得者にとっての時間や労力の負担が少なくなる。この結果、落とし物の回収率を向上できる効果もある。また、拾得者関連情報として、拾得者の氏名等の個人情報ではなく、免許証、クレジットカードやその他の識別コードのみを操作入力し、これをＩＣ回路部に記録する場合には、個人情報の漏洩の危険性を回避できる効果もある。
【００１１】
第３発明は、上記第１又は第２発明において、前記拾得者の所持する拾得者用無線タグと無線通信により情報送受信を行うための第１装置アンテナ手段と、前記第１装置アンテナ手段を介した無線通信により、前記拾得者用無線タグから、前記拾得者に係わる情報を取得する第１情報取得手段とを有し、前記入力手段は、前記第１情報取得手段での情報取得結果に応じた前記拾得者関連情報を入力することを特徴とする。
【００１２】
本願第３発明においては、拾得者用無線タグからの無線通信を介した読み取りによって入力手段が拾得者関連情報を入力する。これにより、拾得者が操作して入力する等を行わなくても、拾得者関連情報をＩＣ回路部に書き込み、落とし物用無線タグを発行することができる。上記同様、拾得者が警察署まで出向く必要がなくなり、また操作入力がない分、さらに容易に拾得者関連情報を記録でき、拾得者にとっての時間や労力の負担がさらに少なくなる。この結果、落とし物の回収率を確実に向上することができる。また、第１情報取得手段で、免許証、クレジットカードやその他の識別コードを取得し、拾得者関連情報として、（それらに基づき取得した拾得者の氏名等の個人情報ではなく）それらをＩＣ回路部に記録する場合には、個人情報の漏洩の危険性を回避できる効果もある。
【００１３】
第４発明は、上記第１乃至第３発明のいずれかにおいて、前記発行処理手段は、前記タグ媒体を搬送する搬送手段と、前記タグ媒体に備えられた前記無線タグ回路素子に対し、情報送受信可能な第２装置アンテナ手段と、前記入力手段で入力した前記拾得者関連情報を、前記第２装置アンテナ手段を介し、前記無線タグ回路素子の前記ＩＣ回路部に書き込む情報書き込み手段とを備えることを特徴とする。
【００１４】
搬送手段で搬送されるタグ媒体に設けられた無線タグ回路素子に対し、情報書き込み手段で拾得者関連情報を書き込み記憶させることで、拾得者が誰であるかを記録した無線タグを確実に発行することができる。
【００１５】
第５発明は、上記第４発明において、前記発行処理手段は、前記タグ媒体又はこれに貼り合わされる被印字媒体に対し、前記拾得者関連情報に対応する印字を行う印字手段と、前記印字手段の印字が終了後に前記タグ媒体を所定の長さに切断する切断手段とを備え、前記落とし物用無線タグとして、前記落とし物に貼りつけ可能な無線タグラベルを生成することを特徴とする。
【００１６】
これにより、印字によって拾得者関連情報の少なくとも一部を明確にした無線タグを、タグ媒体を所定長さに切断した無線タグラベルの態様で発行することができる。粘着剤を備えたラベル形式とすることで、落とし物に対し容易に貼りつけることができる。
【００１７】
第６発明は、上記第４又は第５発明において、前記落とし物の落とし主に対し前記拾得者関連情報の報知・不報知を選択入力可能な第２操作手段を有し、前記情報書き込み手段は、前記第１操作手段又は前記第２操作手段の選択入力結果に応じ、対応する前記拾得者関連情報の報知・不報知情報を、前記第２装置アンテナ手段を介し、前記無線タグ回路素子の前記ＩＣ回路部に書き込むことを特徴とする。
【００１８】
これにより、落とし主からのお礼が不要な場合等、拾得者が自らを特定できる情報を（回収者には知らせてよいが）落とし主には知られたくない場合に、その旨を第１操作手段又は第２操作手段から選択して入力することができる。この結果、拾得者の個人情報の保護を図ることができ、さらに利便性を向上することができる。
【００１９】
第７発明は、上記第４乃至第６発明のいずれかにおいて、前記情報書き込み手段は、前記落とし物の種類や名称、落とし物を拾得した場所、及び拾得日時のうち少なくとも１つを含む落とし物関連情報を、前記第２装置アンテナ手段を介し前記無線タグ回路素子の前記ＩＣ回路部に書き込むことを特徴とする。
【００２０】
これにより、回収者が落とし物を回収した後、ＩＣ回路部に書き込まれた落とし物関連情報等を読み出すことで、落とし主をより特定しやすくすることができる。また、落とし物の分類分けや整理、収納等における作業効率を向上することができる。また、第１操作手段が備えられている場合には、それらのうちパターン化しやすい情報（落とし物の種類）は、第１操作手段によりリストから選択して操作入力できるようにすれば、拾得者の負担を低減することもできる。
【００２１】
第８発明は、上記第４乃至第７発明のいずれかにおいて、前記収納箱に収納された前記落とし物に添付された前記落とし物用無線タグの前記無線タグ回路素子に対し、情報送受信可能な第３装置アンテナ手段と、前記第３装置アンテナ手段を介した無線通信により、前記情報書き込み手段で前記無線タグ回路素子に書き込まれた前記拾得者関連情報を取得する第２情報取得手段とを有することを特徴とする。
【００２２】
これにより、無線タグが貼りつけられた落とし物が確かに収納箱に投入されたことを、検知することができる。また、拾得者関連情報の取得時に、無線タグ回路素子に対して投入時間や回収装置の識別情報等の投入関連情報を無線タグ回路素子に書き込むようにした場合（リード／ライト機能）、無線タグを発行した装置とは別の回収装置に落とし物が投入されるのを防止できる効果もある。
【００２３】
第９発明は、上記第８発明において、前記第３装置アンテナ手段を介し前記第２情報取得手段で前記拾得者関連情報が取得されたら、対応する報知信号を出力する第１信号出力手段を有することを特徴とする。
【００２４】
これにより、落とし物の収納箱への投入後、短時間で迅速に回収することができる。また、落とし物が回収される前であっても、落とし主が警察等に問い合わせに来た場合、拾得者により収納箱へ投入された可能性があるかどうかを迅速に調べることができる。
【００２５】
第１０発明は、上記第８又は第９発明において、前記第３装置アンテナ手段を介し前記第２情報取得手段で前記拾得者関連情報が取得されたら、その取得した前記拾得者関連情報をデータベースに登録するための信号を出力する第２信号出力手段を有することを特徴とする。
【００２６】
これにより、落とし主は、データベースを検索するだけで、自らの落とし物が拾得され回収されているかどうかを確実に調べることができる。
【発明の効果】
【００２７】
本発明によれば、拾得者が、投函時において拾得者自身に関する情報を落とし物に対し付与することができる。
【発明を実施するための最良の形態】
【００２８】
以下、本発明の一実施の形態を図面を参照しつつ説明する。
【００２９】
図１は、本実施形態の落とし物回収装置の外観を表す斜視図である。落とし物回収装置１は、落とし物を回収するための装置であり、例えば街中の複数箇所に設置されている。
【００３０】
図１において、落とし物回収装置１は、落とし物を投入するための投入口２ａを備え落とし物（後述の図１４も参照）を受け入れて収納する回収ボックス（収納箱）２と、この回収ボックス２に収納される落とし物に貼付するための落とし物用無線タグ（この例では、後述のように粘着剤により貼り付け可能な落とし物用無線タグラベル）Ｔを発行するタグラベル作成機３とから構成されている。
【００３１】
タグラベル作成機３は筐体４を有し、この筐体４の前面（上記投入口２ａと同じ側の面）には、各種の指示や情報を表示したり、各種の情報を入力操作するためのタッチパネル６と、発行された落とし物用無線タグラベルＴを排出するための排出口７とが設けられている。
【００３２】
このような落とし物回収装置１においては、落とし物を拾得した拾得者が、タグラベル作成機３により発行された落とし物用無線タグラベルＴを落とし物に貼り付けた上で、当該落とし物を回収ボックス２の投入口２ａから投入する。その後、回収ボックス２内に収納された落とし物が回収業者によって回収されることとなる。落とし物用無線タグラベルＴには、落とし物の拾得者を特定可能な拾得者関連情報（詳細は後述）が記憶される落とし物用無線タグ回路素子Ｔｏｔ（後述の図２参照）が設けられている。
【００３３】
図２は、上記タグラベル作成機３の詳細構造を表す概念的構成図である。図２において、タグラベル作成機３には、凹所としてのカートリッジホルダ部（図示せず）が設けられ、このホルダ部にカートリッジ１００が着脱可能に取り付けられている。
【００３４】
また、タグラベル作成機３は、基材テープ１０１（タグ媒体）に所定の印字（印刷）を行う印字手段としての印字ヘッド（この例ではサーマルヘッド）１０と、基材テープ１０１をカートリッジ１００から繰り出すためのテープ送りローラ駆動軸１２（搬送手段）と、基材テープ１０１に備えられる落とし物用無線タグ回路素子Ｔｏｔ（詳細は後述）との間で、ＵＨＦ帯、マイクロ波帯等適宜の周波数帯域の電波を用いて無線通信により信号の送受を行うラベル用アンテナ１４（第２装置アンテナ手段）と、上記基材テープ１０１を所定のタイミングで所定の長さに切断しカード状の落とし物用無線タグラベルＴを生成するカッタ１５（切断手段）と、落とし物用無線タグ回路素子Ｔｏｔをラベル用アンテナ１４に対向する所定のアクセスエリアＡｔに設定保持するとともに、切断後の落とし物用無線タグラベルＴを案内するための一対の搬送ガイド１３と、その案内された落とし物用無線タグラベルＴを上記排出口７へと搬送し送出する送出ローラ１７と、排出口７において落とし物用無線タグラベルＴの有無を検出する排出センサ１８とを有している。筐体４には、排出口７から排出された落とし物用無線タグラベルＴを受ける受け皿８が取り付けられている。
【００３５】
また、タグラベル作成機３は、上記ラベル用アンテナ１４を介し落とし物用無線タグ回路素子Ｔｏｔへアクセスする（読み取り又は書き込みを行う）ための高周波回路２１と、落とし物用無線タグ回路素子Ｔｏｔから読み出された信号を処理するための信号処理回路２２と、テープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、このソレノイド２６を制御するソレノイド駆動回路２７と、上記送出ローラ１７を駆動する送出ローラ用モータ２８と、この送出ローラ用モータ２８を制御する送出ローラ駆動回路２９と、上記タッチパネル６、高周波回路２１、信号処理回路２２、カートリッジ駆動回路２４、印刷駆動回路２５、ソレノイド駆動回路２７、送出ローラ駆動回路２９等を介し、タグラベル作成機３全体の動作を制御する制御回路３０とを有している。
【００３６】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。
【００３７】
また、カートリッジ１００の内部には、この例では帯状の上記基材テープ１０１が巻回された基材ロール１０２と、この基材ロール１０２から繰り出された基材テープ１０１をガイドするガイドローラ１０３と、上記基材テープ１０１を押圧しカートリッジ１００の外部へテープ送りをするテープ送りローラ１０４とが配置されている。
【００３８】
基材ロール１０２は、感熱テープの長手方向に複数の上記落とし物用無線タグ回路素子Ｔｏｔが所定の等間隔で順次配設された上記基材テープ１０１を巻回している。基材テープ１０１は、この例では、基材層１０１ａと、粘着剤層１０１ｂ（図示省略）と、剥離材層１０１ｃとを含んでいる（詳細は後述）。テープ送りローラ１０４は、カートリッジ１００外に設けた例えばパルスモータである上記カートリッジ用モータ２３の駆動力が上記テープ送りローラ駆動軸１２に伝達されることによって回転駆動される。
【００３９】
上記構成において、カートリッジ１００が上記タグラベル作成機３のカートリッジホルダ部に装着されロールホルダ（図示せず）が離反位置から当接位置に移動されると、基材テープ１０１が印字ヘッド１０とプラテンローラ１０５との間に狭持されるとともに、基材テープ１０１がテープ送りローラ１０４とサブローラ１０６との間に狭持される。そして、カートリッジ用モータ２３の駆動力によってテープ送りローラ１０４が回転駆動される。このとき、前述のテープ送りローラ駆動軸１２と上記サブローラ１０６及びプラテンローラ１０５はギヤ（図示せず）にて連結されており、テープ送りローラ駆動軸１２の駆動に伴いテープ送りローラ１０４、サブローラ１０６、及びプラテンローラ１０５が回転し、基材ロール１０２から基材テープ１０１が繰り出され、上述のようにテープ送りローラ１０４へ供給される。一方、上記印刷駆動回路２５により印字ヘッド１０の複数の発熱素子が通電される。この結果、基材テープ１０１の表面に印字Ｒ（後述の図９参照）が印刷される。そして、印刷が終了した基材テープ１０１が上記テープ送りローラ１０４及びサブローラ１０６によりカートリッジ１００外へと搬出される。
【００４０】
ラベル用アンテナ１４は、この例ではダイポールアンテナで構成されており、対向する上記搬送ガイド１３全体を収容するアクセスエリアＡｔの範囲に対し、無線通信可能となっている。
【００４１】
図３は、上記高周波回路２１の詳細機能及びその周辺の構成を表す機能ブロック図である。図３において、高周波回路２１は、ラベル用アンテナ１４を介し上記落とし物用無線タグ回路素子Ｔｏｔに対して信号を送信する送信部３２と、ラベル用アンテナ１４により受信された落とし物用無線タグ回路素子Ｔｏｔからの応答波を入力する受信部３３と、送受分離器３４とから構成される。
【００４２】
送信部３２は、落とし物用無線タグ回路素子ＴｏのＩＣ回路部１５１の無線タグ情報にアクセスするための質問波を生成するブロックである。すなわち、送信部３２は、質問波の搬送波の基準信号を発生する水晶振動子３５と、この水晶振動子３５により発生した基準信号を元に、所定周波数の搬送波を制御回路３０の制御により発生させるＰＬＬ（Ｐｈａｓｅ Ｌｏｃｋｅｄ  Ｌｏｏｐ）３６、及びＶＣＯ（Ｖｏｌｔａｇｅ  Ｃｏｎｔｒｏｌｌｅｄ  Ｏｓｃｉｌｌａｔｏｒ）３７と、上記制御回路３０から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を増幅（この例では制御回路３０からの「ＴＸ＿ＰＷＲ」信号によって増幅率が決定される増幅）する増幅率可変送信アンプ３９とを備えている。そして、上記発生される搬送波は、例えばＵＨＦ帯（又はマイクロ波帯、あるいは短波帯でもよい）の周波数を用いており、上記可変送信アンプ３９の出力は、送受分離器３４を介しラベル用アンテナ１４に伝達されて落とし物用無線タグ回路素子ＴｏｔのＩＣ回路部１５１に供給される。なお、質問波は上記のように変調した信号（変調波）に限られず、単なる搬送波のみの場合もある。
【００４３】
受信部３３は、ラベル用アンテナ１４で受信された落とし物用無線タグ回路素子Ｔｏｔからの応答波と上記発生させられた搬送波とを乗算して復調するＩ相受信乗算回路４０と、そのＩ相受信乗算回路４０の出力から必要な帯域の信号のみを取り出すためのＩ相バンドパスフィルタ４１と、このＩ相バンドパスフィルタ４１の出力を増幅するＩ相受信アンプ４３と、このＩ相受信アンプ４３の出力をさらに増幅してデジタル信号に変換するＩ相リミッタ４２と、ラベル用アンテナ１４で受信された落とし物用無線タグ回路素子Ｔｏｔからの応答波と上記発生された後に移相器４９により位相を９０°遅らせた搬送波とを乗算するＱ相受信乗算回路４４と、そのＱ相受信乗算回路４４の出力から必要な帯域の信号のみを取り出すためのＱ相バンドパスフィルタ４５と、このＱ相バンドパスフィルタ４５の出力を増幅するＱ相受信アンプ４７と、このＱ相受信アンプ４７の出力をさらに増幅してデジタル信号に変換するＱ相リミッタ４６とを備えている。そして、上記Ｉ相リミッタ４２から出力される信号「ＲＸＳ−Ｉ」及びＱ相リミッタ４６から出力される信号「ＲＸＳ−Ｑ」は、上記信号処理回路２２に入力されて処理される。
【００４４】
また、Ｉ相受信アンプ４３及びＱ相受信アンプ４７の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ)回路４８にも入力され、それらの信号の強度を示す信号「ＲＳＳＩ」が信号処理回路２２に入力されるようになっている。このようにして、高周波回路２１では、Ｉ−Ｑ直交復調によって落とし物用無線タグ回路素子Ｔｏｔからの応答波の復調が行われる。
【００４５】
図４は、上記落とし物用無線タグ回路素子Ｔｏｔの機能的構成の一例を表すブロック図である。図４において、落とし物用無線タグ回路素子Ｔｏｔは、上述したようにタグラベル作成機３のラベル用アンテナ１４と無線通信若しくは電磁誘導により非接触で信号の送受信を行うタグアンテナ１５２と、このタグアンテナ１５２に接続された上記ＩＣ回路部１５１とを有している。
【００４６】
ＩＣ回路部１５１は、タグアンテナ１５２により受信された質問波（質問信号）を整流する整流部１５３と、この整流部１５３により整流された質問波のエネルギを蓄積し駆動電源とするための電源部１５４と、上記タグアンテナ１５２により受信された質問波からクロック信号を抽出して制御部１５５に供給するクロック抽出部１５６と、所定の情報信号を記憶し得るメモリ部１５７と、上記タグアンテナ１５２に接続された変復調部１５８と、上記メモリ部１５７、クロック抽出部１５６及び変復調部１５８等を介して落とし物用無線タグ回路素子Ｔｏｔの作動を制御するための上記制御部１５５とを備えている。
【００４７】
変復調部１５８は、タグアンテナ１５２により受信された上記ラベル用アンテナ１４からの通信信号の復調を行い、また、上記制御部１５５からの返信信号を変調し、タグアンテナ１５２より応答波（タグＩＤを含む信号）として送信する。
【００４８】
クロック抽出部１５６は、受信した信号からクロック成分を抽出して制御部１５５にクロックを抽出するものであり、受信した信号のクロック成分の周波数に対応したクロックを制御部１５５に供給する。
【００４９】
制御部１５５は、上記変復調部１５８により復調された受信信号を解釈し、上記メモリ部１５７において記憶された情報信号に基づいて返信信号を生成し、この返信信号を変復調部１５８によりタグアンテナ１５２から返信する制御等の基本的な制御を実行する。
【００５０】
本実施形態では、拾得者が誰であるかを記録として残すために、拾得者がタッチパネルを操作して、例えば拾得者の氏名、電話番号、住所等、拾得者を特定可能な拾得者関連情報の入力操作を行う。図５〜図８は、タグラベル作成機３の上記タッチパネル６の画面における拾得者関連情報の入力操作の流れの一例を表す図である。
【００５１】
図５（ａ）は、タッチパネル６の初期画面（待機画面）６０を表している。この初期画面６０における「拾得物情報入力」ボタン６０ａがタッチされると、図５（ｂ）に示すように、タッチパネル６の画面が落とし物の拾得者に関する情報（氏名、電話番号、住所）の入力操作画面６１に切り換わる。この拾得者情報入力操作画面６１において、文字キー（英字及び数字を含む）６１ａをタッチし、必要に応じて「変換」ボタン６１ｂをタッチして文字変換を行うことにより、拾得者の氏名欄６１ｃ、電話番号欄６１ｄ、住所欄６１ｅを順次手入力で記載することができる。なお、文字、英字及び数字の切り替えは、「あ／ア／Ａ変換」ボタン６1ｆのタッチにより行うことができる。上記文字キー６１やボタン６１ｂ，６１ｆ等が、各請求項記載の第１操作手段として機能する。
【００５２】
拾得者情報入力操作画面６１において、「戻る」ボタン６１ｇがタッチされると、図５（ａ）に示す初期画面６０に戻り、「進む」ボタン６１ｈがタッチされると、図６に示すように、落とし物に関する落とし物関連情報（落とし物の種類または名称、落とし物を拾った場所、落とし物を拾った日時）の入力操作画面６２に切り換わる。この落とし物情報入力操作画面６２において、「拾った物」欄６２ａの右端部の逆三角部分６２ｂがタッチされると、図７（ａ）に示すように、物品種類リスト６２ｃが表示される。この物品種類リスト６２ｃから拾った物に該当する物品を選択して当該部品にタッチすることで、図６に示す「拾った物」欄６２ａに落とし物に該当する物品の種類が入力されることになる。このように物品種類リスト６２ｃから選択して操作入力するようにすることで、拾得者の負担を軽減することができる。
【００５３】
また、「拾った場所」欄６２ｄがタッチされると、図７（ｂ）に示すように、現在地を含む地図６３ａを含む地図画面６３が表示される。この地図画面６３の地図６３ａ上において、実際に落とし物を拾った場所（図７（ｂ）に示す例では駅前）６３ｂをタッチすることで、落とし物を拾った場所の情報が入力されることとなる。なお、地図の縮尺の変更は、画面左端部の「縮尺」ボタン６３ｃの矢印範囲内のタッチにより行うことができる。
【００５４】
図７（ｂ）に示す地図画面６３において、「戻る」ボタン６３ｄがタッチされると、図６に示す落とし物情報入力操作画面６２に戻る。この落とし物情報入力操作画面６２において、「拾った時間」欄６２ｅの右端部の逆三角部分６２ｆがタッチされると、図示は省略するが、時間帯リストが表示される。この時間帯リストから落とし物を拾った時刻を選択して当該時刻をタッチすることで、図６に示す「拾った時間」欄６２ｅに落とし物を拾った時刻が入力されることになる。
【００５５】
図６に示す落とし物情報入力操作画面６２において、「戻る」ボタン６２ｇがタッチされると、図５（ｂ）に示す拾得者情報入力操作画面６１に戻り、「進む」ボタン６２ｈがタッチされると、図８に示すように、タグラベル発行画面６４が表示される。このタグラベル発行画面６４においては、拾得者の情報を拾得物の落とし主に連絡するか否かを選択入力することができる。通常は、「あなたの情報を落とし主に連絡することを承諾します」欄６４ａにチェックがされており（＝初期設定状態）、拾得者の情報を拾得物の落とし主に連絡することを希望しない場合には、当該欄６４ａにタッチしてチェックを外すようにする（第２操作手段としての機能）。
【００５６】
「タグラベル発行」ボタン６４ｂがタッチされると、上記タグラベル作成機３により落とし物用無線タグラベルＴの発行が開始される。「発行せず終了」ボタン６４ｃがタッチされると、落とし物用無線タグラベルＴが発行されることなく、図５（ａ）に示す初期画面６０に戻る。「戻る」ボタン６４ｄがタッチされると、図６に示す落とし物情報入力操作画面６２に戻る。
【００５７】
なお、図６〜図８に示す入力操作画面６２，６３，６４が表示されてから所定時間が経過しても、何もタッチされないときは、例えば自動的に図５（ａ）に示す初期画面６０に戻るようにしても良い。
【００５８】
図９は、上記タグラベル作成機３によって発行された落とし物用無線タグラベルＴの外観の一例を表す図であり、図９（ａ）は上面図、図９（ｂ）は下面図である。
【００５９】
落とし物用無線タグラベルＴは、前述したように基材テープ１０１より作成され、基材層１０１ａと、粘着剤層１０１ｂ（図示省略）と、剥離材層１０１ｃとを含んでいる。そして、基材層１０１ａには、当該無線タグラベルＴの発行日時Ｒ１及び発行場所Ｒ２を含む印字Ｒが形成されている。落とし物用無線タグラベルＴには、情報を記憶するＩＣ回路部１５１及び情報を送受信するタグアンテナ１５１を含む上記落とし物用無線タグ回路素子Ｔｏｔが設けられている。さらに、落とし物用無線タグラベルＴの基材層１０１ａには、特に図示はしないが、取得者を特定可能な拾得者関連情報（拾得者の氏名、電話番号、住所等）の情報が印字される。なお、印字は、基材層１０１ａの表面ではなく、基材層１０１ａの裏面側に鏡像印字するようにしてもよい。そして、落とし物用無線タグラベルＴの下面には、落とし物に貼り付けるための上記粘着剤層１０１ｂを覆う剥離材層１０１ｃが設けられており、貼り付け時には剥離材層１０１ｃを引き剥がすことで粘着剤層１０１ｂを露出させ、落とし物に対して貼り付ける。
【００６０】
図１０は、上述した落とし物用無線タグラベルＴの発行を行う際に、上記制御回路３０によって実行される制御手順を表すフローチャートである。
【００６１】
図１０において、落とし物回収装置１に電源が投入されると、このフローが開始される（「ＳＴＡＲＴ」位置）。まずステップＳ５において、図５（ａ）に示すタッチパネル６の初期画面（待機画面）６０における「拾得物情報入力」ボタン６０ａがタッチされることで、落とし物用無線タグラベルＴの発行処理開始の入力操作があったかどうかを判定する。
【００６２】
落とし物用無線タグラベルＴの発行処理開始の入力操作があったと判定されたときは、ステップＳ１０へ移り、上記の拾得者関連情報（拾得者の氏名、電話番号、住所の情報）及び落とし物関連情報（落とし物の種類または名称、落とし物を拾得した場所、落とし物を拾得した日時の情報）の入力操作があったかどうかを判定する。具体的には、図５（ｂ）に示す拾得者情報入力操作画面６１において前述のようにして拾得者関連情報が入力され、図６に示す落とし物情報入力操作画面６２において前述のようにして落とし物関連情報が入力されたかどうかを判定する。
【００６３】
拾得者関連情報及び落とし物関連情報の入力操作があったと判定されたときは、ステップＳ１５へ移り、図８に示すタグラベル発行画面６４における「タグラベル発行」ボタン６４ｂがタッチされることで、落とし物用無線タグラベルＴの発行が指示されたかどうかを判定する。
【００６４】
落とし物用無線タグラベルＴの発行が指示されたと判定されたときは、ステップＳ２０へ移り、拾得者関連情報及び落とし物関連情報を制御回路３０の記憶媒体（ＲＡＭ等；図示省略）に記憶する。
【００６５】
次にステップＳ２５へ移り、カートリッジ駆動回路２４を制御してカートリッジ用モータ２３を介しローラ駆動軸１２を駆動することにより基材テープ１０１を搬送しつつ、印刷駆動回路２５を制御して印字ヘッド１０により基材テープ１０１に拾得者関連情報等を印字する。
【００６６】
次にステップＳ３０へ移り、ラベル用アンテナ１４を介してアクセスエリアＡｔ内に保持された落とし物用無線タグ回路素子Ｔｏｔに対しタグＩＤ、拾得者関連情報及び落とし物関連情報を含む書き込み信号を信号処理回路２２及び高周波回路２１を介して送信し、落とし物用無線タグ回路素子ＴｏｔのＩＣ回路部１５１に書き込ませる。
【００６７】
続いて、次のステップＳ３５において、カートリッジ駆動回路２４を制御してカートリッジ用モータ２３を介しローラ駆動軸１２を駆動停止させることで基材テープ１０１の搬送を停止し、その状態でソレノイド駆動回路２７を制御してソレノイド２６を介しカッタ１５を駆動し、基材テープ１０１を切断することにより、上記の落とし物用無線タグラベルＴ（図９参照）を形成する。
【００６８】
そして、次のステップＳ４０において、送出ローラ駆動回路２９を制御して送出ローラ用モータ２８を介し送出ローラ１７を駆動することで、排出口７から落とし物用無線タグラベルＴを外部へ排出し、本フローを終了する。
【００６９】
以上において、ステップＳ１０は、拾得者を特定可能な拾得者関連情報を入力する入力手段として機能する。ステップＳ３０は、入力手段で入力した拾得者関連情報を、ラベル用アンテナ１４を介し、落とし物用無線タグ回路素子ＴｏｔのＩＣ回路部１５１に書き込む情報書き込み手段として機能する。また、これと、上記ラベル用アンテナ１４、テープ送りローラ駆動軸１２、印字ヘッド１０、及びカッタ１５が、各請求項記載の発行処理手段として機能する。
【００７０】
上記のようにタグラベル作成機３により落とし物用無線タグラベルＴが作成された後、落とし物を拾得した拾得者は、その落とし物用無線タグラベルＴを落とし物に貼り付ける。そして、拾得者は、落とし物用無線タグラベルＴが貼付された落とし物を回収ボックス２の投入口２ａから投入する。その後、回収ボックス２内に収納された落とし物は、回収業者によって回収される。そして、その回収された落とし物は警察（あるいは適宜の配送業者等でもよい）に送られ、落とし主への返還手続きがとられる。
【００７１】
以上のように構成した本実施形態においては、タッチパネル６により拾得者の意志を反映した拾得者関連情報が入力されると、タグラベル作成機３は、その拾得者関連情報を落とし物用無線タグ回路素子ＴｏｔのＩＣ回路部１５１に書き込み記憶させるとともに、落とし物用無線タグ回路素子Ｔｏｔを設けた基材テープ１０１に拾得者関連情報を印字し、落とし物用無線タグラベルＴを発行する。従って、その落とし物用無線タグラベルＴが貼付された状態で回収ボックス２内に収納された落とし物が回収業者によって回収されたときに、回収業者は、落とし物用無線タグ回路素子Ｔｏｔに記憶された拾得者関連情報から、落とし物の拾得者が誰であるかという情報を容易に取得することができる。
【００７２】
このとき、拾得者はわざわざ警察署まで出向かずに容易に拾得者関連情報を記録できるので、拾得者にとっての時間や労力の負担が少なくなる。この結果、落とし物の回収率を向上することができる。
【００７３】
また、拾得者関連情報だけでなく、落とし物の種類や名称、落とし物の拾得場所、拾得日時等の落とし物関連情報を落とし物用無線タグ回路素子ＴｏｔのＩＣ回路部１５１に書き込み記憶させるので、回収業者が落とし物を回収した後、落とし物用無線タグ回路素子Ｔｏｔに書き込まれた落とし物関連情報を読み出すことで、落とし主をより特定しやすくすることができる。また、落とし物の分類分けや整理、収納等における作業効率を向上することができる。
【００７４】
また、タッチパネル６により落とし物の落とし主に対する拾得者関連情報の報知・不報知を選択入力可能であるので、例えば落とし主からのお礼が不要な場合や、拾得者が自らを特定できる情報を回収者には知らせてよいが、落とし主には知られたくない場合に、その旨を選択して入力することができる。この結果、拾得者の個人情報の保護を図ることができ、利便性を向上することができる。
【００７５】
なお、本発明は、上記一実施形態に限られるものではなく、その趣旨及び技術思想を逸脱しない範囲で種々の変形が可能である。以下、そのような変形例を順を追って説明する。
【００７６】
（１）拾得者用無線タグを用いて拾得者関連情報を入力する場合
上記実施形態では、タッチパネル６により拾得者関連情報を手操作入力したが、本発明はこれに限られず、拾得者の所持する拾得者用無線タグを用いて拾得者関連情報を入力してもよい。
【００７７】
図１１は、本変形例の落とし物回収装置の外観を表す斜視図であり、上記図１に対応する図である。なお、上記実施形態における落とし物回収装置１の構成と同等の部分については同じ符号を付して適宜説明を省略する。
【００７８】
図１１において、タグラベル作成機３の筐体４の前面には、カード用アンテナ５（第１装置アンテナ手段。なお上記ラベル用アンテナ１４と共通に構成してもよい）がタッチパネル６に隣接して設けられている。カード用アンテナ５は、落とし物の拾得者が所有するＩＤカードや携帯添付タグ（以下、拾得者用無線タグカードという）に備えられた拾得者用無線タグ回路素子Ｔｏｃに対し非接触での無線通信が可能である。カード用アンテナ５は、拾得者用無線タグ回路素子Ｔｏｃとの間でＵＨＦ帯、マイクロ波帯あるいは短波帯等適宜の周波数帯域の電波を用いて無線通信により信号の送受を行う。
【００７９】
図１２は、タグラベル作成機３の詳細構造を表す概念的構成図であり、上記図２に対応する図である。図１２において、タグラベル作成機３は、図２に示す上記構成に加え、上記カード用アンテナ５と、上記高周波回路２１を上記ラベル用アンテナ１４またはカード用アンテナ５のいずれか一方に接続するよう配線を切り換えるアンテナ切り換えスイッチ２０と、上記制御回路３０と接続された入出力インターフェース３１とを備えている。
【００８０】
カード用アンテナ５は、この例では平面アンテナで構成されており、タグラベル作成機３の筐体４の前方側に向けた所定の空間のアクセスエリアＡｃの範囲に対して無線通信できるようになっている。
【００８１】
入出力インターフェース３１は、外部（例えば回収業者や警察署）のサーバ２００に設けられた個人情報データベース２１０と何らかの通信回線を介して情報信号を授受可能に接続されている。個人情報データベース２１０は、例えばハードディスク装置などの大容量記憶装置で構成されている。個人情報データベース２１０には、拾得者用無線タグカードＣ（拾得者用無線タグ）の所持者の個人情報（名前、住所、電話番号等）が対応するタグＩＤと関連付けて記憶されている。
【００８２】
図１３は、本変形例において落とし物用無線タグラベルＴの発行を行う際に、制御回路３０によって実行される制御手順を表すフローチャートであり、上記図１０に対応する図である。
【００８３】
図１３において、落とし物回収装置１に電源が投入されると、このフローが開始される（「ＳＴＡＲＴ」位置）。まずステップＳ１０５において、タッチパネル６に制御信号を出力してスキャン用の待機状態を表すスキャン待機画面（特に図示しないが、例えば「アンテナにカードを近づけて下さい」の文字表示等）を表示させる。次にステップＳ１１０へ移り、切り換えスイッチ２０に制御信号を出力して高周波回路２１をカード用アンテナ５に接続するよう切り換える。
【００８４】
次にステップＳ１１５へ移り、カード用アンテナ５を介してタグラベル作成機３の外部の上記アクセスエリアＡｃ内に拾得者用無線タグカードＣの拾得者用無線タグ回路素子Ｔｏｃが検出されたか否かを判定する。拾得者用無線タグ回路素子Ｔｏｃの検出方法についてはここで特に詳しく説明しないが、公知の手法により拾得者用無線タグ回路素子Ｔｏｃに対して応答を要求する応答要求信号（質問信号）をカード用アンテナ５から送信し続け、それに対して拾得者用無線タグ回路素子Ｔｏｃが発信する応答信号をカード用アンテナ５で受信したときに、拾得者用無線タグ回路素子Ｔｏｃが検出されたと判定する。
【００８５】
次にステップＳ１２０へ移り、上記ステップＳ１１５で受信した応答信号より、拾得者用無線タグ回路素子Ｔｏｃから拾得者に係る情報（カードＩＤ番号、携帯番号等）を取得する。
【００８６】
次にステップＳ１２５へ移り、上記ステップＳ１２０で取得した拾得者に係る情報をキーに、入出力インターフェース３１を介して外部のサーバ２００にアクセスし、拾得者に係る情報に関連付けられた拾得者関連情報（拾得者の氏名、電話番号、住所の情報）をサーバ２００の個人情報データベース２１０から入出力インターフェース３１を介して取得する。そしてステップＳ１３０へ移り、その拾得者関連情報を制御回路３０の記憶媒体（ＲＡＭ等）に記憶する。
【００８７】
次にステップＳ１３５へ移り、切り換えスイッチ２０に制御信号を出力して高周波回路２１をラベル用アンテナ１４に接続するよう切り換える。そしてステップＳ１４０へ移り、タッチパネル６に制御信号を出力して上記の落とし物情報入力操作画面６２（図６参照）を表示させる。
【００８８】
次にステップＳ１４５へ移り、図６に示す落とし物情報入力操作画面６２において上記の落とし物関連情報の入力操作があったかどうかを判定する。落とし物関連情報の入力操作があったと判定されたときは、ステップＳ１５０へ移り、図８に示すタグラベル発行画面６４における「タグラベル発行」ボタン６４ｂがタッチされることで、落とし物用無線タグラベルＴの発行が指示されたかどうかを判定する。
【００８９】
落とし物用無線タグラベルＴの発行が指示されたと判定されたときは、ステップＳ１５５へ移り、落とし物関連情報を制御回路３０の記憶媒体に記憶する。以降の手順については、図１０と同様であり、説明を省略する。
【００９０】
以上において、ステップＳ１１５及びステップＳ１２０が、カード用アンテナ５を介した無線通信により、拾得者用無線タグカードＣから、拾得者に係わる情報を取得する第１情報取得手段として機能する。ステップＳ１２５が、拾得者を特定可能な拾得者関連情報を入力する入力手段として機能する。
【００９１】
以上のような落とし物回収装置１において、落とし物を拾得した拾得者は、自身が所有する拾得者用無線タグカードＣをタグラベル作成機３のカード用アンテナ５に接触または近接させる。すると、拾得者用無線タグカードＣの拾得者用無線タグ回路素子Ｔｏｃに記憶された拾得者に係わる情報が読み取られ、その情報を基にして個人情報データベース２１０から拾得者関連情報が取得される。そして、その拾得者関連情報と落とし物関連情報とが書き込まれた落とし物用無線タグ回路素子Ｔｏｔを有する落とし物用無線タグラベルＴが発行される。
【００９２】
以上のように構成した本変形例においては、拾得者用無線タグカードＣをカード用アンテナ５にスキャンさせて拾得者関連情報を取得するようにしたので、落とし物の拾得者がタッチパネル６を手入力しなくても、拾得者関連情報を落とし物用無線タグ回路素子Ｔｏｔに書き込み、落とし物用無線タグラベルＴを発行することができる。従って、拾得者関連情報の操作入力がない分、さらに容易に拾得者関連情報を落とし物用無線タグ回路素子Ｔｏｔに記録でき、拾得者にとっての時間や労力の負担がさらに少なくなる。この結果、落とし物の回収率を確実に向上することができる。
【００９３】
なお、本変形例では、拾得者用無線タグカードＣをカード用アンテナ５にスキャンさせ、その時に取得された拾得者に係る情報を基にして個人情報データベース２１０から拾得者関連情報を入力するようにしたが、拾得者用無線タグカードＣをカード用アンテナ５にスキャンさせて拾得者関連情報を直接入力するようにしても良い。また、これらを含む本変形例において、タッチパネル６の前述のタグラベル発行画面６４において、「あなたの情報を落とし主に連絡することを承諾します」欄６４ａのチェックの有無により、拾得者の情報を拾得物の落とし主に連絡するか否かを選択入力できるようにしてもよい。
【００９４】
（２）落とし物が回収ボックス内に投入されたか否かを検知する場合
上記実施形態及び（１）の変形例では、落とし物が回収ボックス２内に投入されたか否かを検知していないが、本発明はこれに限られず、落とし物が回収ボックス２内に投入されたか否かを（例えば周期的に）検知するようにしてもよい。
【００９５】
図１４は、本変形例の落とし物回収装置１の詳細構造を表す概念的構成図であり、上記図１２に対応する図である。なお、上記実施形態及び上記（１）の変形例における落とし物回収装置の構成と同等の部分については同じ符号を付して適宜説明を省略する。
【００９６】
図１４において、落とし物回収装置１の回収ボックス２の内壁面には、回収ボックス２内に投入された落とし物Ｂに添付された落とし物用無線タグラベルＴの落とし物用無線タグ回路素子Ｔｏｔに対し情報送受信可能な収納検知用アンテナ９（第３装置アンテナ手段。なお、ラベル用アンテナ１４やカード用アンテナ５と共通に構成してもよい）が取り付けられている。収納検知用アンテナ９は、この例ではラベル用アンテナ１４と同様にダイポールアンテナで構成され、タグラベル作成機３の上記切り換えスイッチ２０と接続されている。切り換えスイッチ２０は、上記高周波回路２１を上記ラベル用アンテナ１４、カード用アンテナ５及び収納検知用アンテナ９のいずれか一つに接続するよう配線を切り換えるスイッチである。切り換えスイッチ２０は、上記高周波回路２１を周期的（例えば１時間毎）に収納検知用アンテナ９に接続するように配線を切り換える。
【００９７】
また、タグラベル作成機３の上記入出力インターフェース３１は、外部（例えば回収業者や警察署）のサーバ２００に設けられた上記個人情報データベース２１０及び落とし物情報データベース２２０と何らかの通信回線を介して情報信号を授受可能に接続されている。落とし物情報データベース２２０には、上記の落とし物関連情報が落とし物の拾得者の拾得者関連情報と共に記憶される。なお、落とし物情報データベース２２０も、個人情報データベース２１０と同様に大容量記憶装置で構成されている。
【００９８】
図１５は、タグラベル作成機３の上記制御回路３０の機能を表すブロック図である。図１５において、制御回路３０は、落とし物用無線タグラベルＴを発行する処理を行うタグラベル発行処理部３０Ａと、回収業者や警察署に対して落とし物関連情報及び落とし物の拾得者の拾得者関連情報を通知する処理を行う情報通知処理部３０Ｂとを有している。タグラベル発行処理部３０Ａは、上述した図１３に示す処理手順を実行する。
【００９９】
図１６は、情報通知処理部３０Ｂによって実行される制御手順を表すフローチャートである。図１６において、落とし物回収装置１に電源が投入されると、このフローが図１３に示すフローと共に開始される（「ＳＴＡＲＴ」位置）。
【０１００】
まずステップＳ２０５において、回収ボックス２内の落とし物Ｂに添付された落とし物用無線タグラベルＴの落とし物用無線タグ回路素子Ｔｏｔに書き込まれた情報を読み取るタイミングかどうかを判断する。つまり、前回の情報読み取りタイミングから所定の周期時間が経過したかどうかを判断する。落とし物用無線タグ回路素子Ｔｏｔに書き込まれた情報を読み取るタイミングであると判断されたときは、ステップＳ２１０へ移り、切り換えスイッチ２０に制御信号を出力して高周波回路２１を収納検知用アンテナ９に接続するよう切り換える。
【０１０１】
次にステップＳ２１５へ移り、収納検知用アンテナ９を介して落とし物用無線タグラベルＴの落とし物用無線タグ回路素子Ｔｏｔが検出されたか否かを判定する。落とし物用無線タグ回路素子Ｔｏｔの検出方法については、上述した拾得者用無線タグ回路素子Ｔｏｃの検出方法と同様である。つまり、落とし物用無線タグ回路素子Ｔｏｔに対して応答を要求する応答要求信号（質問信号）を収納検知用アンテナ９から送信し続け、それに対して落とし物用無線タグ回路素子Ｔｏｔが発信する応答信号を収納検知用アンテナ９で受信したときに、落とし物用無線タグ回路素子Ｔｏｔが検出されたと判定する。なお、上記応答要求信号の送信を所定回数繰り返しても（または所定時間試みても）応答信号が収納検知用アンテナ９で受信できなかった場合は、落とし物が無いと判断し、このフローを終了する。
【０１０２】
次にステップＳ２２０へ移り、上記ステップＳ２１５で受信した応答信号より、落とし物用無線タグ回路素子Ｔｏｔから拾得者関連情報及び落とし物関連情報を取得する。
【０１０３】
次にステップＳ２２５へ移り、落とし物用無線タグ回路素子Ｔｏｔから拾得者関連情報等を取得した旨を入出力インターフェース３１を介して外部のサーバ２００に報知する。そしてステップＳ２３０へ移り、落とし物用無線タグ回路素子Ｔｏｔから取得した落とし物関連情報及び拾得者関連情報を、入出力インターフェース３１を介してサーバ２００に設けられた落とし物情報データベース２２０に登録し、本フローを終了する。
【０１０４】
以上において、ステップＳ２１５及びステップＳ２２０が、収納検知用アンテナ９を介した無線通信により、無線タグ回路素子Ｔｏｔに書き込まれた拾得者関連情報を取得する第２情報取得手段として機能する。ステップＳ２２５は、収納検知用アンテナ９を介し拾得者関連情報が取得されたら、対応する報知信号を出力する第１信号出力手段として機能する。ステップＳ２３０は、収納検知用アンテナ９を介し拾得者関連情報が取得されたら、その取得した拾得者関連情報をデータベース２２０に登録するための信号を出力する第２信号出力手段として機能する。
【０１０５】
以上のように構成した本変形例においては、回収ボックス２内の落とし物Ｂに貼付された落とし物用無線タグラベルＴの落とし物用無線タグ回路素子Ｔｏｔに書き込まれた拾得者関連情報等を取得するようにしたので、落とし物用無線タグラベルＴが貼り付けられた落とし物Ｂが確かに回収ボックス２内に投入されたことを検知できる。
【０１０６】
また、拾得者関連情報が取得されると、その旨を回収業者や警察のサーバ２００に報知するので、落とし物Ｂが回収ボックス２内に投入された後、落とし物Ｂを短時間で迅速に回収することができる。また、落とし物Ｂが回収される前であっても、落とし主が警察等に問い合わせに来た場合、拾得者により回収ボックス２内へ投入された可能性があるかどうかを迅速に調べることができる。
【０１０７】
さらに、落とし物関連情報が取得されると、その落とし物関連情報をサーバ２００の落とし物情報データベース２２０に登録するので、落とし物Ｂの落とし主は、落とし物情報データベース２２０を検索するだけで、自らの落とし物Ｂが拾得され回収されているかどうかを確実に調べることができる。
【０１０８】
なお、上記において、拾得者関連情報等の取得時に、落とし物用無線タグラベルＴの落とし物用無線タグ回路素子Ｔｏｔに対して投入時間や落とし物回収装置１の識別情報等の投入関連情報を書き込むようにすることもでき（ライタとしての機能）、この場合には、落とし物用無線タグラベルＴを発行した装置とは別の落とし物回収装置１に落とし物Ｂが投入されるのを防止できる効果もある。
【０１０９】
（３）その他
上記実施形態では、拾得者関連情報をタッチパネル６により直接手入力するようにしたが、本発明はこれに限られず、拾得者の電話番号や免許証番号のみをタッチパネル６で操作入力し、その情報に基づいて個人情報データベース２１０（図１２参照）より拾得者関連情報を取得しても良い。
【０１１０】
また、拾得者関連情報の入力方法を選択できるようにしても良い。図１７は、タッチパネル６における拾得者関連情報の入力選択画面６５の一例を表したものである。なお、図１７は、例えば図５（ａ）に示す初期画面６０と図５（ｂ）に示す拾得者情報入力操作画面６１との間に表示される画面である。
【０１１１】
図１７に示す拾得者関連情報の入力選択画面６５において、「手入力」ボタン６５ａがタッチされると、図５（ｂ）に示す拾得者情報入力操作画面６１に切り換わる。「自動車免許証」ボタン６５ｂ、「学生証」ボタン６５ｃ、及び「保険証」ボタン６５ｄのいずれかがタッチされると、対応する証番号入力操作画面（図示省略）に切り換わる。そして、その証番号入力操作画面において証番号が入力操作されると、その証番号に対応する個人情報が個人情報データベース２１０より取得されることとなる。また、「携帯電話タグ」ボタン６５ｅ及び「○×カード」ボタン６５ｆのいずれかがタッチされると、図６に示すような落とし物情報入力操作画面６２に切り換わる。この場合には、携帯電話タグや○×カード（個人情報を取得するための身分証明用の適宜のカード）を収納検知用アンテナ９にかざすことにより、拾得者関連情報が直接あるいは個人情報データベース２１０より取得される。その後、図６に示す落とし物情報入力操作画面６２において落とし物に関する情報を操作入力すれば良い。
【０１１２】
また、以上においては、落とし物の拾得者の氏名、住所及び電話番号等を拾得者関連情報として落とし物用無線タグ回路素子Ｔｏｔに書き込むものとしたが、拾得者関連情報として、拾得者の氏名等の個人情報ではなく、免許証、クレジットカードやその他の個人識別コードのみを落とし物用無線タグ回路素子Ｔｏｔに書き込んでも良い。この場合には、個人情報の漏洩の危険性を回避することができる。
【０１１３】
また、落とし物回収装置１から落とし物を回収した回収業者は、落とし物用無線タグラベルＴの落とし物用無線タグ回路素子Ｔｏｔに拾得者関連情報として書き込まれた個人識別コードを使って、個人情報データベース２１０より拾得者の名前や住所等の情報を検索、取得しても良い。この場合には、拾得者の名前や住所等の情報の取得の簡略化を図ることができる。
【０１１４】
また、以上においては、基材テープ１０１に印字を行う方式（貼り合わせを行わないタイプ）であったが、これに限られず、落とし物用無線タグ回路素子Ｔｏｔを備えた基材テープ１０１とは別のカバーフィルム（被印字媒体）に印字を行ってこれらを貼り合わせる方式に本発明を適用してもよい。さらに、拾得者関連情報等の印刷は必ずしも行われなくともよく、拾得者関連情報等の書き込みのみを行うものに対し本発明を適用することもできる。
【０１１５】
また、回収ボックス２の回収口２ａにシャッター及びタグ読み取り装置のアンテナを設け、落とし物用無線タグラベルＴのタグＩＤが読み取れた場合のみシャッターが開いて、回収ボックス２の回収口２ａから落とし物を投入可能としても良い。この場合には、回収口２ａからの小動物や虫、ごみの進入を防ぐことができる。
【０１１６】
また、回収ボックス２の内部の回収口２ａ近傍に、落とし物収納部と落とし物排出口との分岐部と、タグ読み取り装置のアンテナとを設け、落とし物用無線タグラベルＴのタグＩＤが読み取れた場合は、落とし物収納部への通路を開くことで落とし物を回収可能とし、落とし物用無線タグラベルＴのタグＩＤが読み取れなかった場合は、落とし物排出口への通路を開くことで落とし物を排出させても良い。この場合にも、回収口２ａからの小動物や虫、ごみの進入を防ぐことができる。
【０１１７】
また、以上既に述べた以外にも、上記実施形態や各変形例による手法を適宜組み合わせて利用しても良い。
【０１１８】
その他、一々例示はしないが、本発明は、その趣旨を逸脱しない範囲内において、種々の変更が加えられて実施されるものである。
【図面の簡単な説明】
【０１１９】
【図１】本発明の一実施形態の落とし物回収装置の外観を表す斜視図である。
【図２】タグラベル作成機の詳細構造を表す概念的構成図である。
【図３】高周波回路の詳細機能及びその周辺の構成を表す機能ブロック図である。
【図４】無線タグ回路素子の機能的構成を表す機能ブロック図である。
【図５】タッチパネルの画面における拾得者関連情報の入力操作の流れの一例を表す図である。
【図６】タッチパネルの画面における拾得者関連情報の入力操作の流れの一例を表す図である。
【図７】タッチパネルの画面における拾得者関連情報の入力操作の流れの一例を表す図である。
【図８】タッチパネルの画面における拾得者関連情報の入力操作の流れの一例を表す図である。
【図９】タグラベル作成機によって発行された落とし物用無線タグラベルの一例を表す図である。
【図１０】落とし物用無線タグラベルの発行を行う際に、制御回路によって実行される制御手順を表すフローチャートである。
【図１１】本発明の変形例の落とし物回収装置の外観を表す斜視図である。
【図１２】タグラベル作成機の詳細構造を表す概念的構成図である。
【図１３】落とし物用無線タグラベルの発行を行う際に、タグラベル作成機の制御回路によって実行される制御手順を表すフローチャートである。
【図１４】本発明の他の変形例の落とし物回収装置におけるタグラベル作成機の詳細構造を表す概念的構成図である。
【図１５】タグラベル作成機の制御回路の機能を表すブロック図である。
【図１６】情報通知処理部によって実行される制御手順を表すフローチャートである。
【図１７】タッチパネルにおける拾得者関連情報の入力選択画面の一例を表した図である。
【符号の説明】
【０１２０】
１                落とし物回収装置
２                回収ボックス（回収箱）
３                タグラベル作成機
５                カード用アンテナ（第１装置アンテナ手段）
６                タッチパネル
９                収納検知用アンテナ（第３装置アンテナ手段）
１０              印字ヘッド（印字手段）
１２              テープ送りローラ駆動軸（搬送手段）
１５              カッタ（切断手段）
１４              ラベル用アンテナ（第２装置アンテナ手段）
２０              切り換えスイッチ
２１              高周波回路
２２              信号処理回路
３０              制御回路
１０１            基材テープ（タグ媒体）
１５１            ＩＣ回路部
２２０            データベース
Ｔ                落とし物用無線タグラベル（落とし物用無線タグ）
Ｔｏｔ            落とし物用無線タグ回路素子
【図１】
2010079592.tif 000003
【図２】
2010079592.tif 000004
【図３】
2010079592.tif 000005
【図４】
2010079592.tif 000006
【図５】
2010079592.tif 000007
【図６】
2010079592.tif 000008
【図７】
2010079592.tif 000009
【図８】
2010079592.tif 000010
【図９】
2010079592.tif 000011
【図１０】
2010079592.tif 000012
【図１１】
2010079592.tif 000013
【図１２】
2010079592.tif 000014
【図１３】
2010079592.tif 000015
【図１４】
2010079592.tif 000016
【図１５】
2010079592.tif 000017
【図１６】
2010079592.tif 000018
【図１７】
2010079592.tif 000019